(57)【要約】本発明は、ルアー取付具標識された器官ルアー取付具は、雄ルアー、雄ルアーの近くに配置されているルアーカラー、雄ルアーおよびルアーカラーの間のレセプタクルの基部に配置されている支点（１４８）を備えうる。本発明は、又耐破損性取付具に向けられていると、言われうる。耐破損性取付具は、中央流体通路を有する雄部、おおむね雄部に対して同軸である補助固定部、ならびに雄部および補助固定部の間の環状レセプタクルを備えうる。環状レセプタクルは、半径方向または軸方向、あるいはそれらの組み合わせの方向に、結合雌取付具より実質的に大きいサイズの結合クリアランス間隙を有する基礎領域を含みうる。
2009543662.tif 000002
【特許請求の範囲】
【請求項１】
ルアー取付具であって、
雄ルアーと、
該雄ルアーのまわりに配置されているルアーカラーと、
該雄ルアーと該ルアーカラーとの間のレセプタクルの基部に配置されている支点と、
を含む、ルアー取付具。
【請求項２】
前記支点から、前記レセプタクルへ奥に延びている空間を含む、請求項１に記載の取付具。
【請求項３】
前記空間が、前記支点のまわりに同心円状に配置されている、請求項２に記載の取付具。
【請求項４】
前記空間が、前記レセプタクルに向かい軸方向にネジ山の直下に配置されている、請求項２または３に記載の取付具。
【請求項５】
前記支点が、おおむね環状の構造を含み、前記空間がおおむね環状の溝を含む、請求項２、３または４に記載の取付具。
【請求項６】
前記雄ルアーが、おおむね円錐形の外側表面を含み、前記ルアーカラーが、内側表面に沿って配置されている１つ以上のネジ山を含む、請求項１〜５のいずれか一項に記載の取付具。
【請求項７】
前記おおむね円錐形の外側表面が、前記雄ルアーの先端から前記レセプタクルの基部へとおおむね発散する幾何学を有する、請求項６に記載の取付具。
【請求項８】
前記ルアーカラーの内側表面が、該ルアーカラーの端部から前記レセプタクルの基部へとおおむね収束する幾何学を有する、請求項６または７に記載の取付具。
【請求項９】
前記レセプタクルが、前記基部に結合クリアランス間隙を含む、請求項１〜８のいずれか一項に記載の取付具。
【請求項１０】
前記結合クリアランス間隙が、雌ルアーの半径方向の厚みに加え追加の半径方向のクリアランスに等しい半径方向の寸法を含む、請求項９に記載の取付具。
【請求項１１】
前記ルアー取付具が、放射能遮蔽材料を含む、請求項１〜１０のいずれか一項に記載の取付具。
【請求項１２】
前記ルアー取付具は、シリンジ、管状材料、止め栓、医療装置、またはそれらの組み合わせの部品である、請求項１〜１１のいずれか一項に記載の取付具。
【請求項１３】
前記ルアー取付具は、容器の部品であり、該容器が、放射性医薬品、造影剤、体液、医用流体、物質、またはそれらの組み合わせを含む、請求項１〜１２のいずれか一項に記載の取付具。
【請求項１４】
耐破損性取付具であって、
中央流体通路を有する雄部と、
該雄部とおおむね同心円状である補助固定部と、
該雄部と該補助固定部との間にある環状レセプタクルであって、該環状レセプタクルが、半径方向または軸方向、あるいはそれらの組み合わせの方向で、結合雌取付具より実質的に大きいサイズの結合クリアランス間隙を有する基礎領域を含む、レセプタクルと、
を含む、耐破損性取付具。
【請求項１５】
前記結合クリアランス間隙が、軸方向のつめおよび軸方向のくぼみを含む、請求項１４に記載の取付具。
【請求項１６】
前記結合クリアランス間隙が、結合取付具の半径方向の厚みより実質的に大きい半径方向の厚みを有する環状の間隙を含む、請求項１４または１５に記載の取付具。
【請求項１７】
前記耐破損性取付具が、ネジ山補助圧縮取付具を含む、請求項１４〜１６のいずれか一項に記載の取付具。
【請求項１８】
前記耐破損性取付具が、ルアー取付具を含む、請求項１４〜１７のいずれか一項に記載の取付具。
【請求項１９】
前記環状レセプタクルが、おおむね該環状レセプタクルへと前記基礎領域へ向かい軸方向に減少する半径寸法を含む、請求項１４〜１７のいずれか一項に記載の取付具。
【請求項２０】
前記耐破損性取付具が、シリンジの部品である、請求項１４〜１７のいずれか一項に記載の取付具。
【請求項２１】
前記耐破損性取付具が、容器の部品であり、該容器が、放射性医薬品、造影剤、体液、医用流体、物質、またはそれらの組み合わせを含む、請求項１４〜１７のいずれか一項に記載の取付具。
【請求項２２】
雄ルアーおよび雌ルアーを接続させる方法であって、該方法は：
雄ルアーのまわりに雌ルアーを、おおむね軸方向に該雌ルアーおよび該雄ルアーの間の接合面へ、受け入れる工程と、
該雌ルアーの外側部分を該雄ルアーのまわりの構造内のネジ山路にそって誘導する工程と、
該外側部分に該雄ルアーおよび該構造の間の該接合面に対して、１つ以上の方向にクリアランスを設ける工程と、
を含む、方法。
【請求項２３】
前記外側部分に１つ以上の方向にクリアランスを設ける工程が、支点の近くで、おおむね軸方向に前記接合面より深く、くぼみへ向かって該外側部分を変形させる工程を含む、請求項２２に記載の方法。
【請求項２４】
前記くぼみが、おおむね環状の間隙を含み、前記支点がおおむね環状の構造を含む、請求項２３に記載の方法。
【請求項２５】
前記外側部分に１つ以上の方向にクリアランスを設ける工程が、半径方向のクリアランスを介して、前記雌ルアーの外側部分および前記雄ルアーの間の半径方向の力を実質的にまたは全面的に除去することを含む、請求項２２〜２４のいずれか一項に記載の方法。
【請求項２６】
前記半径方向のクリアランスが、前記雌ルアーの外側部分および前記雄ルアーの内側表面の間のおおむね環状の間隙である、請求項２５に記載の方法。
【請求項２７】
前記雌ルアーおよび雄ルアーが、中央流体通路を含む、請求項２２〜２６に記載の方法。
【請求項２８】
被験体、医療装置、またはそれらの組み合わせに対して、前記雄ルアーを通して医用流体を流す工程を含む、請求項２２〜２７に記載の方法。
【請求項２９】
耐破損性取付具を使用する方法であって、該方法は、
流体転送のために耐破損性取付具を医療装置に接続する工程を含み、該耐破損性取付具は、第１管状部材、該第１管状部材の近くに配置されている第２管状部材、該第１および第２管状部材の間に配置されているネジ山、ならびに該第１および第２管状部材の間の基部の支点に隣接して配置されているくぼみを含む、方法。
【請求項３０】
前記医療装置を使用して、医用流体を被験体へ投与する工程を含む、請求項２９に記載の方法。
【請求項３１】
投与する工程が、シリンジのバレルの中でプランジャーを動かすことを含む、請求項３０に記載の方法。
【請求項３２】
前記投与された医用流体に基づいて、前記被験体の画像を取得する工程を含む、請求項３０または３１に記載の方法。
【発明の詳細な説明】
【技術分野】
【０００１】
（関連出願への相互参照）
この出願は、２００６年７月１８日に出願された表題「Ｂｒｅａｋａｇｅ  Ｒｅｓｉｓｔａｎｔ  Ｆｉｔｔｉｎｇ」の米国仮特許出願第６０／８３１，８２３号への優先権を主張する。
【０００２】
（発明の分野）
本発明は、おおむね医薬品分野に関し、特に本発明は、シリンジ、管状材料、止め栓、および流体交換装置のようなさまざまな医療装置と共に使用するための耐久性のある、または耐破損性の取付具に関する。
【背景技術】
【０００３】
（背景）
このセクションは、本発明のさまざまな態様に関連しうる技術のさまざまな態様を読者に紹介することを狙いとしており、以下に記述および／権利主張される。この考察は、読者に背景情報を提供し、本発明のさまざまな態様をより良く理解することを容易にするのに役に立つと信じられている。従ってこれらの記述が、従来技術の承認としてではなく、この観点から読まれるべきであるということは、理解されなければならない。
【０００４】
放射性医薬品取扱所、病院、ならびに他の健康管理施設内の管状材料、容器、シリンジ、および他の装置を接続するために、さまざまな取付具、または継ぎ手が使用されている。残念ながら、これらの取付具、または継ぎ手は、使用中にしばしば破損し、個々の取付具、または継ぎ手を通過する液体を飛散させたり、浪費させたりする。例えば、液体は、患者の血液、放射性医薬品、造影剤、または患者へ投与中のほかの薬品を含みうる。１つの共通の破損原因は、雄取付具と雌取付具を締め付け過ぎたり、相手の器具に対して引っ張り過ぎることである。例えば、使用者が雄取付具と雌取付具を一緒につなぐ際に、十分な間隔を超えて雄取付具と雌取付具を引っ張ると、雄取付具と雌取付具の間に圧縮力または張力が生じうる。時には、雄取付具と雌取付具の過剰締め付け、または過剰引っ張りが重大な力または応力をうみ、雄取付具と雌取付具が破損する原因となる。このような破損は、再び液体の飛散、および個々の医療措置の遅延の原因となる。例えば、いくつかの医療措置は、特定の心拍数のような特殊な患者の生理学的条件の下で薬品、造影剤、または放射性医薬品を、注射することを含む。このようにして、前述した破損は、特に時間に左右される医療措置に悪影響を及ぼしたり、遅延をもたらしたりする。
【発明の概要】
【課題を解決するための手段】
【０００５】
最初に権利主張された発明の範囲に相応するいくつかの態様が、以下に記述される。これらの態様が、読者に本発明がとりうるある形式の簡単な結論を提供するに過ぎないこと、およびこれらの態様は本発明の範囲を限定するものではない、ということは理解されるべきである。実際に本発明は、以下に記述されていないさまざまな特徴および態様を包含しうる。
【０００６】
本発明の第１の態様は、雄ルアーおよび雄ルアーのまわりに配置されているルアーカラーを含むルアー取付具に関する。レセプタクルが、雄ルアーおよびルアーカラーの間で規定される。さらに、支点がレセプタクルの基部に配置される。
【０００７】
本発明の第２の態様は、耐破損性取付具に関する。耐破損性取付具は、中央流体通路を有する雄部、雄部とおおむね同心円状の補助固定部、ならびに雄部および補助固定部との間の環状レセプタクルを含む。環状レセプタクルは、半径方向または軸方向、あるいはそれらの組み合わせの方向に、結合雌取付具より実質的に大きいサイズの結合クリアランス間隙（ｍａｔｉｎｇ  ｃｌｅａｒａｎｃｅ  ｉｎｔｅｒｓｐａｃｅ）を有する基礎領域を含む。
【０００８】
本発明の第３の態様に従って、雄ルアーのまわりの雌ルアーをおおむね軸方向で雌ルアーおよび雄ルアーの間の接合面へと受け入れることを含む方法が提供される。方法は、前記雌ルアーの外側部分を前記雄ルアーのまわりの構造内のネジ山にそって誘導することをも含みうる。方法は、さらに外側部分に雄ルアーおよび構造の間の接合面に対して、１つ以上の方向にクリアランスを設けることを含む。
【０００９】
本発明の第４の態様に従って、流体転送のために耐破損性取付具を医療装置に接続することを含む方法が提供される。ただし耐破損性取付具は、第１管状部材、第１管状部材の近くに配置されている第２管状部材、第１および第２管状部材の間に配置されているネジ山、ならびに第１および第２管状部材の間の基部の支点に隣接して配置されているくぼみを含みうる。
【００１０】
本発明のさまざまな態様に関する上述された特徴に対するさまざまな改善策が存在する。追加の特徴が、これらのさまざまな態様にも取り入れられうる。これらの改善策および追加の特徴は、個別にも組み合わせとしても存在しうる。例えば、１つ以上の図示されている実施形態に関して以下で述べられるさまざまな特徴は、単独または任意の組み合わせで上述された本発明の態様へと組み込まれうる。上述されている簡潔な結論は、権利主張されている対象物に制限をあたえることなしに、読者に本発明のいくつかの態様および背景について説明することのみを目的としている。
【００１１】
本発明についての、これらまたは他の特徴、態様、および利点は、添付の図表を参照して以下の詳細な説明を読むことにより、より良く理解されるであろう。尚全図表を通して、同じ数字は、同じ部品を表している。
【図面の簡単な説明】
【００１２】
【図１】シリンジに配置されている耐久性のある、または耐破損性の取付具を有する実施例の上面図である。
【図２】結合取付具から分解された耐久性のある、または耐破損性の取付具の実施例の断面図である。
【図３】図２で示されている結合取付具に結合された耐破損性取付具の実施例の断面図である。
【図４】図３で示されている耐破損性取付具、および結合取付具の間の境界面の断面図である。
【図５】結合取付具から分解された耐破損性取付具の他の実施例の断面図である。
【図６】図５で示されている結合取付具に結合されている耐破損性取付具の断面図である。
【図７】図６で示されている耐破損性取付具、および結合取付具の断面図である。
【図８】図５〜７で示されている耐破損性取付具に代表的な寸法を記入した断面図である。
【図９】図１〜８で示されている耐破損性取付具を有する１つ以上のシリンジを使用する核医学処理の実施形態を図示するフローチャートである。
【図１０】図１〜８で示されている耐破損性取付具を有する１つ以上のシリンジを使用する放射性薬学、またはシステムの実施形態を示す構成図である。
【図１１】図１〜８で示されている耐破損取性付具を有する１つ以上のシリンジを使用する核画像システムの実施形態を示す構成図である。
【発明を実施するための形態】
【００１３】
（具体的な実施形態の詳細な説明）
本発明の１つ以上の特有な実施形態が以下で説明される。これらの実施形態の簡潔な記述を提供しようとする過程の中で、実際の実施についてのすべての特徴が、明細書の中で説明されない可能性がある。このような実際の実施の展開の際に、任意の技術的または設計プロジェクトのように、多数の実施に特有な決定が、システム関連および経営関連の制約への適合のような開発者の特定の目標を獲得するためになされなければならない。目標は実施状況ごとに変化する。さらに、このような開発の努力は、複雑で時間がかかるが、いずれにせよ、この開示により恩恵を受ける当業者にとっては、設計、制作、製造の日常的な業務となるであろう。
【００１４】
図１は、さまざまな医療装置に配置されている１つ以上の耐久性のある、または耐破損性の取付具を有するシリンジシステム１０の実施例の上面図である。特に、図示されているシリンジシステム１０は、シリンジ１４に配置されている耐破損性取付具１２を含む。耐破損性取付具１２、および／またはシリンジ１４は、プラスチックまたはガラスのようなさまざまな材料から作られうる。例えば、耐破損性取付具１２、および／またはシリンジ１４は、ポリカーボネート樹脂、ポリエチレン樹脂、ポリプロピレン樹脂、アセチル樹脂、ＡＢＳ樹脂、ポリメチルペンテン樹脂、またはおおむね透明な環状オレフィン共重合体のようなプラスチック材料から作られうる。特定の実施形態では、取付具１２、および／またはシリンジ１４は、鉛、劣化ウラン、タングステン入りプラスチックなどの放射線遮蔽材料から作られたり、または放射線遮蔽材料を含んでいたりする。図示されているシリンジ１４は、シャフト１８およびシリンジスリーブまたはシリンジバレル２０の内部に配置されているフィールドプランジャーヘッドを有するプランジャー１６を含みうる。図示されている実施形態では、耐破損性取付具１２は、プランジャー１６のシリンジスリーブまたはバレル２０に沿った動きが、流体を、耐破損性取付具１２を通過させるように、長手方向のシリンジスリーブまたはシリンジバレル２０のヘッド２２の上に配置されうる。加えて、シリンジスリーブまたはバレル２０は、複数の注射液量目盛２４を有しうる。このような容量のマークは、シリンジスリーブまたはバレル２０の上に横方向にヘッド２２からバレル２０の反対側の端２６まで順に延びている。耐破損性取付具１２は、雄部２８、および補助固定部３０のようなさまざまな接続特徴を含みうる。特定の実施形態では、雄部２８は、雄ルアーを含みうる。そして補助固定部３０は、雄ルアーのまわりに同軸上に配置されているルアーカラーを含みうる。このようにして、耐破損性取付具１２は、一般的にルアー取付具、または雄ルアー取付具というように記述されうる。以下でさらに詳細に図示されるように、耐破損性取付具１２は、１つ以上のクリアランス、拡張、またはおおむね耐破損特徴を含み、取付具１２、および雌ルアーを有している結合取付具のような結合取付具との間での破損の可能性を低減する。
【００１５】
図１にさらに示されているように、シリンジシステム１０は、代わりとして、第１、および第２止め栓、またはバルブ３６、３８を有する第１、および第２流体送達システム３２、３４を含みうる。バルブ３６、３８は、２方向バルブ構造、３方向バルブ構造、４方向バルブ構造、または任意の適切な流路の配置を含みうる。例えば、バルブ３６、３８は、３方向バルブ本体４４、４６に可動的に結合しているバルブレバー４０、４２を含みうる。図示されているバルブレバー４０、４２は４５°、９０°、１８０°、または他の回転範囲で回転して、３方向バルブ本体４４、４６の異なる導管部の間で、通路の開閉を行う。例えば、３方向バルブ本体４４は、導管部４８、５０、５２を含みうる。同様に、３方向バルブ本体４６は、導管部５４、５６、５８を含みうる。図示されているように、第１バルブ３６は、導管部４８、５０の上に配置されている結合取付具６０、６２の第１のタイプ、またはセットを含みうる一方、第２バルブ３８は、導管部５４、５６の上に配置されている結合取付具６４、６６の第２のタイプ、またはセットを含みうる。
【００１６】
これらの結合取付具６０、６２、６４、６６のそれぞれは、取付具１２、および／または結合取付具６０、６２、６４、６６の応力あるいは破損の可能性を大幅に減じて、シリンジ１４の上に配置されている耐破損性取付具１２と結合するように構成される。第１結合取付具６０、６２は、外部タブまたは突起部７２、７４に囲まれている雌部６８、７０を含む。特定の実施形態では、雌部６８、７０は、シリンジ１４または他の医療装置の上に配置されている耐破損性取付具１２の雄ルアー２８のまわりに同心円状に結合するように構成されている雌ルアーを含みうる。例えば、雌部６８、７０は、取付具の雌部と雄部が、徐々に圧縮取り付け（ｃｏｍｐｒｅｓｓｉｏｎ  ｆｉｔ）できるように、雄ルアー２８に対して、おおむね円錐形の、またはテーパー状の境界面を有する。加えて、突起部７２、７４は、導管部４８、５０の端とは反対側に配置されうる。以下でさらに詳しく説明されるように、これらの向い合せの突起部７２、７４は、取付具１２、および結合取付具６０または結合取付具６２との間で、接続ならびに解除している時に、耐破損性取付具１２のルアーカラー３０と接続しうる。ルアー結合のネジ切りは、適切であるかぎり、どのようなデザインであっても良い。例えば、特定の実施形態では、ルアー結合のネジ切りは、二重の右回りネジという特徴がある。
【００１７】
対照的に、第２結合取付具６４、６６は、導管部５４、５６のまわりに螺旋状に延びている外部ネジ山７６、７８を含みうる。言い換えれば、外部ネジ山７６、７８は、導管部５４、５６の周囲に連続して螺旋をえがき、おおむね連続する螺旋状のネジ山を規定し得る。同様にこれらの外部ネジ山７６、７８は、シリンジ１４、または他の医療装置の上に配置されている耐破損性取付具１２のルアーカラー３０に係合する。加えて、結合取付具６４、６６は、導管５４、５６の内部に延びている雌部８０、８２を含む。再び、雌部８０、８２は、おおむね円錐形の、またはテーパー状の内部表面を有する。そして内部表面は、耐破損性取付具１２の雄ルアー２８のまわりに同心円状に結合し、延びている。このようにして、突起部７２、７４、および外部ネジ山７６、７８は、雌部６８、７０、８０または８２と雄ルアー２８の接続に加えて、ルアーカラー３０と接続するように構成されている補助結合固定部の代わりとなるタイプである。
【００１８】
バルブ３６、３８に加えて、流体送達システム３２、３４は、第１、および第２耐破損性端取付具８４、８６を含みうる。これらの端取付具８４、８６は、導管部５２、５８に直接結合されうる。図示されている実施形態では、端取付具８４、８６は、第１、および第２の長さの管状材料８８、９０を通して、導管部５２、５８に間接的に結合されうる。取付具１２と同様に、端取付具８４、８６は、雄部９２、９４、および補助固定部９６、９８を含む。再び、雄部９２、９４は、おおむね円錐形の、またはテーパー状の外部表面を有する雄ルアーを含みうる。さらに、補助固定部９６、９８は、雄部９２、９４のそれぞれのまわりに同心円状に配置されているルアーカラー、またはおおむね円筒形の構造を含みうる。加えて、流体送達システム３２、３４は、雌取付具１０４、１０６を有する保護キャップ１００、１０２を含む。例えば、雌取付具１０４、１０６は、雄ルアー９２、９４の対応する表面と結合するように構成されているおおむね円錐形の、またはテーパー状の内部表面を有する雌ルアーを含みうる。シリンジ１４の上に配置されている取付具１２と同様に、端取付具８４、８６は、さまざまの雌取付具と雄取付具の間での破損の可能性がかなり低い状態で、さまざまの他の雌取付具と結合するように構成されている。
【００１９】
図２は、本技術の実施例に従った結合取付具６０から分解された耐破損性取付具１２の断面図である。上述したように、耐破損性取付具１２、および取付具６０は、シリンジ、導管、止め栓またはバルブ、流体送達システム、放射性医薬品生成器および装置、動力のある、またはモータ付の注射器、ならびに他の適切な適用のようなさまざまな医療装置の上に配置されうる。加えて、耐破損性取付具１２、および取付具６０は、非医療装置および器具に対しても配置されうる。図２にもどって、結合取付具６０は、向い合せの突起部７２を有する先端１１０へと長手方向に延びている細長い円筒本体１０８を含みうる。雌部６８、例えば雌ルアーは、おおむね細長い円筒本体１０８の内部に配置され、細長い円筒本体１０８の先端１１０から後部１１４に向かって半径が徐々に狭くなるおおむね円錐形の、またはテーパー状の内側表面１１２を含みうる。言い換えれば、テーパー状の内側表面１１２は、先端１１０から後部１１４の先の点に向かって、小さな角度で内部に収束する。
【００２０】
同様に、耐破損性取付具１２の雄ルアー２８は、結合取付具６０の雌ルアー６８のテーパー状の内側表面１１２と接続するように構成されているおおむね円錐形の、またはテーパー状の外側表面１１６を含みうる。特にテーパー状の表面１１６は、先端１１８から雄ルアー２８の基部１２０へ半径が増加しうる。言い換えれば、外側表面１１６は、先端１１８から基部１２０へ全体的に広がっている。加えて、雄ルアー２８は、円筒上の通路のような中央流体通路１２２を含む。図２でさらに示されているように、耐破損性取付具１２は、雄ルアー２８のまわりに同軸上に配置されているルアーカラー３０を含みうる。例えば、ルアーカラー３０は、おおむね円筒状の、または円錐状の形態となっている。
【００２１】
特定の実施形態では、ルアーカラー３０は、結合取付具６０に配置されている向い合せの突起部７２と結合するように構成されている１つ以上の内部のネジ山１２４を含みうる。代わりに、上述したように、内部のネジ山１２４は、図１を参照して、上述されている結合取付具６４、６６上に配置されている外部ネジ山７６、７８のように完全に外部ネジ山と結合しうる。特定の実施形態では、内部のネジ山１２４は、おおむね円錐形の、またはテーパー状の基部１２０とルアーカラー３０のオフセット端１２８の間の内側表面１２６のまわりに延びている。例えば、内部のネジ山１２４は、オフセット端１２８から基部１２０の方向へ収束している螺旋構造で配置されている。さらに、内部のネジ山１２４は、オフセット端１２８と基部１２０の間の内側表面１２６のまわりに、内部のネジ山１２４が雄ルアー２８のテーパー状の外側表面１１６に徐々に近づくように、螺旋をえがいている単一の連続的ネジ山を含みうる。内部のネジ山１２４を考慮に入れると、取付具１２は、ネジ山補助圧縮取付具として記述されうる。
【００２２】
図示されている実施形態で、耐破損性取付具１２は、テーパー状の外側表面１１６とテーパー状の内側表面１２６の間の基部１２０に結合クリアランス間隙１３０を提供する。例えば、結合クリアランス間隙１３０は、テーパー状の内側表面１１２と結合取付具６０の突起部７２の周囲との間の厚さ１３４よりも大きい空間幅１３２を有しうる。このようにして、結合クリアランス間隙１３０は、結合取付部６０の外部（例えば、突起部７２）と取付具１２の内側表面１２６の間の半径方向の力の可能性を低減するように構成されているおおむね半径方向のクリアランス、または環状クリアランスを含みうる。言い換えれば、結合クリアランス間隙１３０は、結合取付部６０の外部（例えば、突起部７２）と取付具１２の内部１２６の間の圧縮力、または引っ張り力の可能性を実質的に削減するか、または全面的に除去しうる。それにより取付具１２、および／または６０の破損の可能性を低減する。以下でさらに詳しく考察されるが、結合クリアランス間隙１３０は、半径方向、軸方向、またはそれらの組み合わせの方向を含む１つ以上の方向のクリアランスを含みうる。
【００２３】
図２に示されている実施形態では、結合取付具６０は、同時に雄ルアー２８のまわりにある雌ルアー６８を伸長し、向い合せの突起部７２をルアーカラー３０の内部のネジ山１２４に回してねじ込むことにより、耐破損性取付具１２に結合させられうる。言い換えれば、ルアーカラー３０は、向い合せの突起部７２に結合して、雄ルアー２８に内部から向かい、雄ルアー２８のまわりに雌ルアー６８を引くか、動かす。結局雌ルアー６８は、耐破損性取付具１２の基部１２０において、または近くで、雄ルアー２８のまわりで、圧縮的に取り付くか、伸長する。例えば、結合取付具６０は、向い合せの突起部７２が、内部のネジ山１２４の間で下方へ延びる螺旋状の溝１３８を進むように、耐破損性取付具１２の中心線、または回転軸１３６のまわりを回転させられうる。このようにして、下方に向け螺旋状の通路の結果、ネジ山１２４は、下方に向かう力１４０を突起部７２に伝える。この下方に向かう力１４０は、向い合せの突起部７２が、耐破損性取付具１２の基部１２０に接近して、結局基部１２０に到達するにつれて、テーパー状の外側表面１１６のまわりのテーパー状の内側表面１１２の圧縮力または取付を可能にしうる。取付具１２、６０の間の結合は、取付具６０の内側表面１１２と、外側表面１１６の間に圧縮的取付を生むが、結合クリアランス間隙１３０は、取付具６０の外部（例えば、突起部７２）、およびルアーカラー３０の内側表面１２６からのあらゆる圧縮的または外部への半径方向の力の可能性を実質的に低減するか、おおむね除去する。このため、取付具１２、６０は、一般的に突起部７２とネジ山１２４の間の締め付け工程の間に破損という危険を冒すことなく、防水、または密閉されている封止を作りうる。
【００２４】
図３は、耐破損性取付具１２の中で、固定された位置に配置されている結合取付具６０の断面図である。図示されているように、結合クリアランス間隙１３０は、結合取付具６０（すなわち、向かい合せの突起部７２）が外向けの半径方向の力をルアーカラー３０（すなわち、テーパー状の内側表面１２６）に伝えないということをおおむね確実にする。そのため結合取付具６０が、ネジ山にそって底面または基部１２０にまで回されると、結合クリアランス間隙１３０は、向かい合わせの突起部７２が外向けの力を生み、ルアーカラー３０を破損するという可能性を低減するか、完全に除去する。
【００２５】
図４は、図３で示されている基部１２０における耐破損性取付具１２と完全に係合している結合取付具６０を伴う結合クリアランス間隙１３０の断面図であり、さらに突起部７２の外部周囲１４４とルアーカラー３０のテーパー状の内側表面１２６との間のクリアランス１４２を示す。クリアランス１４２は、半径方向のクリアランス、周囲のクリアランス、または外部周囲１４４に対する円周のクリアランスとして記述されうる。図４に示されるように、突起部７２は、最後のまたは最終のネジ山１２４の下で変形するかもしれない。言い換えれば、最後のネジ山１２４は、突起部７２を押して基部１２０とネジ山１２４の下部側面１４６の間で圧縮しうる。このため耐破損性取付具１２の他の実施形態は、内部のネジ山１２４の下部側面１４６の下に向い合せの突起部７２を収容する追加の空間を含む。
【００２６】
図５は、耐破損性取付具１２から分解された結合取付具６０の代わりの実施形態の断面図であり、図２〜４の基部１２０は、結合クリアランス間隙１３０内のテーパー状の外側表面１１６と内側表面１２６の間に、底部のつめまたは支点１４８、および変形チャネルまたは内側に拡張する溝１５０を含むように置き換えられるか、改変される。支点１４８は、結合取付具６０が、耐破損性取付具１２に挿入されるにつれて、硬い支え、あるいはそこを軸にして結合取付具６０の突起部７２が回るか、曲がるか、または内側に拡張する溝へ向け全体的に変形する縁であると規定されうる。言い換えれば、支点１４８は、内部のネジ山１２４と協同して、突起部７２が内側に拡張する溝１５０へ向け下方に曲がるように影響をおよぼすか、それらを強いる、中心点／領域、曲げ点／領域、または変形点／領域として規定されうる。支点１４８は、また回転誘導構造、曲げ誘導構造、変形誘導構造として規定されうる。本発明の状況から、構成部品１４８は、単純に支点として記述されているが、支点１４８は、上記のいずれの規定をも含みうる。
【００２７】
図示されている実施形態では、支点１４８は、雄ルアー２８の周囲に、部分的に、断続的に、または完全に延びている。例えば、支点１４８は、雄ルアー２８のテーパー状の外側表面１１６から外部へ突出する、おおむねリング状、環状、または円筒形でありうる。しかし、支点１４８は、テーパー状の外側表面１１６からルアーカラー３０の反対側の内側表面１２６へと完全に延びてはいない。再び、支点１４８は、表面１１６と１２６の間で内側に拡張する溝１５０により遮られている。特定の実施形態では、内側に拡張する溝１５０は、支点１４８およびテーパー状の内側表面１２６の間に、部分的に、断続的に、または完全に雄ルアー２８の周囲に延びている。例えば、内側に拡張する溝１５０は、おおむねリング状、または環状形であり得、雄ルアー２８およびルアーカラー３０の間のルアーポケットへと支点１４８より深く軸方向に延びている。
【００２８】
再び、図２および３を参照して、上で詳述したように、結合取付具６０は、同時に向い合せの突起部７２を内部のネジ山１２４にそってねじ込み、圧縮的に雌ルアー６８を雄ルアー２８のまわりに取り付けることによって、耐破損性取付具１２に結合されうる。結局内部のネジ山１２４および対応する下方へ延びる螺旋状の溝１３８は、向い合せの突起部７２を支点１４８に係合するか、底につく。例えば、図６は、図５で示されている耐破損性取付具１２に結合されている結合取付具６０を示す断面図であり、さらに、結合クリアランス内部空間１３０内で内部のネジ山１２４に係合する向い合せの突起部７２を示す。図６に示されているように、向い合せの突起部７２は、上で図４を参照して示したように、最初に圧縮的に内部のネジ山１２４と支点１４８との間に合致する。しかし内側に拡張する溝１５０は、内部のネジ山１２４から溝１５０の方向に、向かい合せの突起部７２を変形させるか、または伸長させることを可能にしうる。再び、支点１４８は、内部のネジ山１２４と協同して、向い合せの突起部７２が、内側に拡張する溝１５０へ向け、下方に回転するか、曲がるか、または変形するように影響をおよぼすか、それらを強いる。
【００２９】
図７は、図６で示されている耐破損性取付具に結合されている結合取付具６０の断面図であり、さらに結合クリアランス間隙１３０内での向い合せの突起部７２の変形を示す。図示されているように、支点１４８は、結合取付具６０の下側の内部１５４の上に上向きの力１５２を付与し得る一方、内部のネジ山１２４の底側面１４６は、突起部７２の上側の周囲部分１５８の上に下向きの力１５６を伝える。結果として、これらの正反対の上向きの力１５２および下向きの力１５６は、突起部７２内に回転力、またはトルク１６０を生じ、突起部７２のかなりの部分１６２に、矢印１５４に示されているように、内側に拡張する溝１５０へ向け、下方に向かい変形するか、または拡張するように強いる。そのため支点１４８、および内側に拡張する溝１５０は、内部のネジ山１２４の底側１４６と協同して、図３および４を参照して既に述べたように、内部のネジ山１２４と突起部７２の間の力に関連する破損の可能性を低減し得る。加えて、図２〜４を参照して既に述べたように、突起部７２の外部の周辺とルアーカラー３０のテーパー状の内側表面１２６との間の追加のクリアランス１４２は、結合取付具６０と耐破損性取付具１２との間の半径方向の力、および起こりうる破損の可能性を低減しうる。結果として、支点１４８にそってクリアランス１４２を有する結合クリアランス間隙１３０、および内側に拡張する溝１５０の組み合わせは、結合取付具６０と耐破損性取付具１２の間の境界面における軸または半径方向での重大な応力および破損の可能性を低減する。
【００３０】
図８は、図５〜７に示されている耐破損性取付具１２の断面図であり、さらに取付具１２の１つの実施形態に従って、さまざまな構成部品の寸法を示している。図示されているように、雄ルアー２８の中央流体通路１２２は、通路１２２の長さ方向にそって内側直径１６８へと続く内側直径１６６を有する。例えば、これらの寸法１６６、１６８は、１．９３２ｍｍおよび１．８ｍｍでありうる。雄ルアー２８は、テーパー状の外側表面１１６にそって、外側直径１７２へと縦に続く外側直径１７０も含む。例えば、外側直径１７０、１７２の寸法は、４．４６ｍｍおよび３．９８ｍｍでありうる。加えて、中央流体通路１２２は、１０．４９ｍｍのような長さ１７４を有する。さらに、雄ルアー２８は、支点１４８および先端１１８の間が８．３３ｍｍと測定される長さ１７６を有し得る。従って雄ルアー２８のテーパー状の外側表面１１６は、ルアーのテーパー６／１００のようなテーパー上の角度１７８を有しうる。支点１４８および内側に拡張する溝１５０に関して、これらは、中心線１３６に対し、５．４６ｍｍ、および７．９６ｍｍのような直径１７８、１８０を有しうる。さらに、内側に拡張する溝１５０は、０．６ｍｍのような半径曲率１８２を有しうる。ルアーカラー３０に関して、内部のネジ山１２４は、それぞれ１ｍｍ、０．５ｍｍ、２５°（例えば、内側表面１２６に垂直な線に対して）、および２．５ｍｍのような幅寸法１８４、厚さ寸法１８６、テーパー寸法１８８、および間隔寸法１９０を有しうる。加えて、ルアーカラー３０は、中心線１３６に対して、０．５°、１°のような内部、および外部テーパー寸法１９２、１９４を有しうる。ルアーカラー３０は、支点１４８とオフセット端１２８との間で測定される、６．０３ｍｍのような長さ寸法１９６を有しうる。さらに、オフセット端１２８は、ルアーカラー３０と雄ルアー２８の先端１１８との間で測定される、2.3ｍｍのような縦のオフセット距離１９８を有し得る。さらに、ルアーカラー３０のオフセット端１２８は、８．０９ｍｍ、および１０．８ｍｍのような内側直径および外側直径または内側寸法および外側寸法２００、２０２を有しうる。図８で示されている実施形態では、例示的な寸法は、長さ、幅、または他の距離に対して、±０．１２ｍｍの許容範囲を有しうる一方、角度は±０．５°の許容範囲を有しうる。しかし、実施例のいくつかの寸法は、より特定の許容範囲またはより厳密な許容範囲でありうる。例えば、ネジ山寸法１８４、１８６は、＋０ｍｍ、または−０．０５ｍｍの許容範囲を有しうる。さらなる例として、雄ルアー２８の外側直径１７２は、＋０ｍｍ、または−０．０５ｍｍの許容範囲を有しうる。加えて、ルアーカラー３０の内側直径２００は、＋０．０５ｍｍ、または−０ｍｍの許容範囲を有しうる。図８を参照して、上で詳述された寸法、および許容範囲は、耐破損性取付具１２の単なる一実施形態である。それゆえに、本技術のさまざまな実施形態に従って、さまざまな他の寸法が、耐破損性取付具１２のさまざまな部位に適用されうる。
【００３１】
特定の実施形態では、耐破損性取付具１２は、シリンジ１４、管状材料、または他の容器、および流体送達システムと共に使用されうる。例えば、上記で図１〜９を参照して図示され、記述されている耐破損性取付具１２を有するシリンジ１４は、造影剤、放射性医薬品、標識剤（ｔａｇｇｉｎｇ  ａｇｅｎｔ）、生体適合フラッシュ（flush）、体液（例えば血液、尿等）、医薬品、またはこれらの組み合わせのような１つ以上の医用流体で満たされるか、事前に満たされうる。特に、医用流体は、磁気共鳴映像法（ｍａｇｎｅｔｉｃ  ｒｅｓｏｎａｎｃｅ  ｉｍａｇｉｎｇ：ＭＲＩ）、コンピュータ断層撮影法（ｃｏｍｐｕｔｅｄ  ｔｏｍｏｇｒａｐｈｙ：ＣＴ）、放射線透過写真術（例えばＸ線撮影）、または超音波のような医療画像処理のための造影剤を含みうる。代わりとして、医用流体は、陽電子放射断層撮影法（ｐｏｓｉｔｉｏｎ  ｅｍｉｓｓｉｏｎ  ｔｏｍｏｇｒａｐｈｙ：ＰＥＴ）、もしくは単光子放射型断層撮影法（ｓｉｎｇｌｅ  ｐｈｏｔｏｎ  ｅｍｉｓｓｉｏｎ  ｃｏｍｐｕｔｅｄ  ｔｏｍｏｇｒａｐｈｙ：ＳＰＥＣＴ）のような放射線ベース治療、または医療画像処理用の放射性同位元素、あるいは放射性医薬品を含みうる。シリンジ１４は、医用流体を被験体または患者に注射するために使用される。
【００３２】
核医学は、診断および治療のために、患者に少量の放射性物質を注射することにより放射性物質を使用する。放射性物質は、患者の特定の組織、または生物学的領域に集まる。核医学のために一般的に使用されている放射性物質は、他の物質と混じってテクネチウム−９９ｍ、インジウム−１１３ｍ、およびストロンチウム８７−ｍを含む。いくつかの放射性物質は、自然に特定の組織に集まる。例えば、沃素は、甲状腺に集まる。しかし、放射性物質は、しばしば患者の所望の器官、または生物学的領域のための放射性物質を的とする標識剤、あるいは器官探索剤（ｏｒｇａｎ−ｓｅｅｋｉｎｇ  ａｇｅｎｔ）と組み合わされる。これらの放射性物質は、単独または標識剤と組み合わされて、一般的に核医学の分野で放射性医薬品と呼ばれる。
【００３３】
特定の実施形態では、被験体は、上で列記されているような適切な医療診断、および／または画像処理システムにより、スキャンされたり、一般的に画像処理されたりしうる。例えば、造影剤または放射性医薬品が、血管に入り、分布、あるいは特定の器官または興味のある領域に焦点を合わせた後で、診断および／または画像処理システムは、画像データを取得し、データを処理し、１つ以上の画像を出力するように機能しうる。このようにして、診断および／または画像処理システムは、検出／取得ハードウエアおよびソフトウエア、データ／画像処理ハードウエアおよびソフトウエア、データ／画像記憶ハードウエアおよびソフトウエア、表示装置、プリンタ、キーボード、マウス、コンピュータワークステーション、ネットワーク、ならびに他の関連装置を含みうる。例えば、比較的少量の放射性医薬品、放射性画像処理システム（例えば、ガンマーカメラ）は、放射性医薬品を集める器官または生物学的領域の画像を提供する。画像上の異常は、しばしば癌のような病理学上の異常を示す。代わりとして、放射性医薬品の大量の投与は、しばしば放射性の治療薬を癌細胞のような病理学上の組織へ直接送達するために使用されうる。
【００３４】
図９は、図１〜８を参照して、示される耐破損性取付具１２、およびシリンジ１４を使用する代表的な核医学処理を示すフローチャートである。図示されているように、プロセス３００は、ブロック３０２において、核医学用の放射性同位元素を提供することにより始まる。例えば、ブロック３０２は、同位元素発生器から溶出するテクネチウム−９９ｍを含みうる。ブロック３０４では、プロセス３００が、放射性同位元素に特定の部分、例えば、患者の器官、を目標にさせるのに適している標識剤（例えば、エピトープ、または他の適切な生物学的誘導成分）を提供することにより次へ進む。ブロック３０６では、プロセス３００は、放射性同位元素を標識剤と組み合わせ、核医学用の放射性医薬品を提供することにより次へ進む。特定の実施形態では、放射性同位元素は、特定の器官または組織に集中するという自然的傾向を有しうる。このようにして、放射性同位元素は、いかなる補助的標識剤も含まない放射性医薬品として特徴づけられうる。ブロック３０８では、プロセス３００は、１用量以上の放射性医薬品を、核医学施設または病院内で放射性医薬品を投与するのに適している容器のようなシリンジ、あるいは他の容器へ注入する。それからプロセス３００は、耐破損性取付具を通して、シリンジを流体送達システムに接続することにより、次へ進む（ブロック３１０）。例えば、耐破損性取付具１２は、上述したようにシリンジ１４の上に配置されうる。ブロック３１２では、プロセス３００は、１用量の放射性医薬品を患者に注射するか、一般的に投与することにより、次へ進む。予め選択された時間の後、プロセス３００は、患者の器官、または組織に標識づけされた放射性医薬品を検出／画像処理させることにより、次へ進む（ブロック３１４）。例えば、ブロック３１４は、ガンマーカメラ、または他のＸ線写真画像処理装置を使用して、脳組織、心臓、肝臓、腫瘍、癌化組織、あるいはさまざまな他の器官または罹病組織の上に、または中にある、あるいは結びついた放射性医薬品を検出することを含みうる。
【００３５】
図１０は、核医学的応用に使用するために中に放射性医薬品を有するシリンジ１４を提供する代表的システム３１６のブロック図である。再び、図１〜８を参照して上記で詳述したように、シリンジ１４は、耐破損性取付具１２を含みうる。図示されているように、システム３１６は、放射性同位元素生成器３２０、溶離液供給容器３２２、および溶出液排出容器または投薬容器３２４を有する放射性同位元素溶出システム３１８を含む。特定の実施形態では、溶出液容器３２４は、溶離液供給容器３２２および溶出液容器３２４の間の圧力の違いが、溶離液３２が放射性同位元素発生器３２０を通して、溶出液導管から溶出液容器３２４への循環を容易にするように、真空である。溶離液、例えば生理食塩溶液、が放射性同位元素生成器３２０の中を循環する際に、循環溶離液は、一般的に放射性同位元素（例えばテクネチウム−９９ｍ）を洗い出すか、溶出する。例えば、放射性同位元素生成器３２０の一実施形態は、アルミナのビーズ、または樹脂交換カラムの表面に吸収されるモリブデン−９９のような、放射性親元素を封入する放射能遮蔽外箱（例えば鉛器）を含む。放射能同位元素生成器３２０の中で、親モリブデン−９９は、約６７時間の半減期で準安定なテクネチウム−９９ｍに変わる。娘放射性同位元素、例えばテクネチウム９９ｍは、一般的に放射性同位元素生成器３２０の中で、親放射性同位元素、例えばモリブデン−９９よりも密でない状態で保持される。従って、娘放射性同位元素、例えばテクネチウム−９９ｍは、酸化剤を含まない生理食塩溶液のような適切な溶離液で抽出、または洗い出される。放射性同位元素生成器３２０から、溶出液容器３２４へ排出された溶出液は、一般的に溶離液、および放射性同位元素生成器３２０より洗い出された、または溶出された放射性同位元素を含む。溶出液排出容器３２４の中に所望の量の排出液を受け取ると、溶離液の循環および溶出液の排出を止めるために栓が閉じられうる。以下でさらに詳述されるように、抽出された娘放射性同位元素は、その後、もし所望されれば、患者の診察、または治療を容易にするために標識剤と組み合わされる（例えば、核医学施設の中で）。
【００３６】
システム３１６はまた、放射性医薬品生産システム３２６を含んでおり、システム３２６は、放射性同位元素３２８（例えば、放射性同位元素溶出システム３１８の使用を通じて取得されるテクネチウム−９９ｍ溶液）と標識剤３３０とを組み合わせるように機能する。特定の実施形態では、この放射性医薬品生産システム３２６は、技術的に「キット」（例えば、診断用放射性医薬品の調製のためのＴｅｃｈｎｅｓｃａｎ（登録商標））として知られているものをいうか、含みうる。再び、標識剤は患者の特定部分（例えば、器官、組織、腫瘍、癌等）に対して引きつけられる、または特定部分を目標とするさまざまの物質を含みうる。結果として、放射性医薬品生産システム３２６は、ブロック３３４で示されているように、放射性同位元素３２８および標識剤３３０を含む放射性医薬品を生産するか、生産するために使用されうる。図示されているシステム３１６は、放射性医薬品供給システム３３６もまた含みうる。システム３３６は、上記で図１〜８を参照して、放射性医薬品を抽出し、既に詳述した耐破損性取付具１２を有するシリンジ１４のようなバイアルまたはシリンジに注入することを容易にする。特定の実施形態では、システム３１６のさまざまな部品および機能は、核医学に使用するために放射性医薬品のシリンジを準備する放射線取扱所内に配置される。例えば、シリンジ１４は、患者の診断または治療に使用されるために医療施設へと準備され、配達されうる。
【００３７】
図１１は、図１０のシステム３１６を使用して提供された放射性医薬品のシリンジ１２を利用する代表的な核医学画像処理システム３３８のブロック図である。図示されているように、核医学画像システム３３８は、シンチレータ３４６および光検出器３４８を有する放射線検出器３４０を含む。患者３５２内の標識された器官から放射された放射線３５０に応答して、シンシレータ３４６は、光検出器３４８によって検知され、電子信号に変換される光を放射する。画像処理システム３３８は、また放射線検出器３４０の方向へ放射線３５０をコリメートするコリメーターを含むことができる。図示されている画像処理システム３３８は、検出器取得回路３５４および画像処理回路３５６をも含む。検出器取得回路３５４は、一般的に放射線検出器３４０からの電子信号の取得を制御する。画像処理回路３５６は、電子信号を処理したり、試験プロトコルを実施する等のために利用される。図示されている画像システム３３８は、画像処理回路３５６、および画像処理システム３３８の他の部品とのユーザーの相互作用を容易にするユーザーインターフェース３５８をも含む。結果として、画像処理システム３３８は、患者３５２内で、標識された器官の画像３６０を生成する。再び、前述された措置および結果としての画像３６０は、図１〜８を参照して、図示され、記述されたように、耐破損性取付具１２より直接利益を受ける。
【００３８】
本発明の構成部品、またはそれらのさまざまな実施形態を紹介する際に、冠詞「１つの」、「１つの」、「前記」、および「前記」は、１つ以上の部品を意味するように意図されている。用語「含む」、「含む」、および「有する」は、包含的であることを意図し、列記されている部品の他に追加の部品があるうることを意味している。さらに、「最上部」、「底」、「上に」、「下に」およびこれらの用語の派生語は、便宜的に用いられ、部品の特定の方向を必要とするものではない。
【００３９】
本発明は、さまざまな改変、および変更の余地があるが、特定の実施形態が実施例として図表で示されており、本明細書中で詳述されている。しかし本発明が、開示された特定の形態に限定されるようには意図されていないということは理解されるべきである。どちらかと言えば、本発明は、添付されている請求項で規定される本発明の精神ならびに範囲内のすべての改変、同等物、および代替物を対象として含む。
【図１】
2009543662.tif 000003
【図２】
2009543662.tif 000004
【図３】
2009543662.tif 000005
【図４】
2009543662.tif 000006
【図５】
2009543662.tif 000007
【図６】
2009543662.tif 000008
【図７】
2009543662.tif 000009
【図８】
2009543662.tif 000010
【図９】
2009543662.tif 000011
【図１０】
2009543662.tif 000012
【図１１】
2009543662.tif 000013
【国際調査報告】
2009543662.tif 000014
2009543662.tif 000015
2009543662.tif 000016